(57)【要約】    【課題】  製作を自動化でき、見る者の注意を喚起することのできるカード構造を提供する。    【解決手段】  第１、第２のカード部(11,12)の間には起立片部(20)を両カード部の対向する側縁に連続して形成し、起立片部は中間の折り線によって折り曲げるともに、第１、第２のカード部との境界で第１、第２のカード部に重なるように折り曲げる。相互に連続する第１のカード部の側部と起立片部の側部、及び相互に連続する第２のカード部の側部と起立片部の側部を相互に接着するとともに、起立片部の両側部を相互に接着することにより、第１、第２のカードの間には両カード部を開いた時に起立片部が立体的に起立し得るように設ける。【選択図】  図４
2005145060.tif 000002
【特許請求の範囲】
【請求項１】
第１、第２のカード部を重ねた時には両カード部の間に起立片部が挟み込まれ、第１、第２のカード部を開いた時には起立片部が起立するようにしたカード構造において、
上記第１、第２のカード部の間には上記起立片部が両カード部の対向する側縁に連続して形成され、該起立片部は中間の折り線によって折り曲げられるともに、上記第１、第２のカード部との境界でその境界近傍部分が上記第１、第２のカード部に重なるように折り曲げられ、
相互に連続する上記第１のカード部の側部と起立片部の側部、及び相互に連続する第２のカード部の側部と起立片部の側部が相互に接着されるとともに、起立片部の両側部が相互に接着されることにより、上記第１、第２のカードの間には両カード部を開いた時に起立片部が立体的に起立し得るように設けられていることを特徴とするカード構造。
【請求項２】
上記相互に連続する第１のカード部の側部と起立片部の側部及び上記相互に連続する第２のカード部の側部と起立片部の側部は太幅の帯状に接着され、上記起立片部の両側部は小幅の帯状に接着されている請求項１項記載のカード構造。
【請求項３】
上記第１、第２のカード部及び起立片部が一枚の原紙から打ち抜かれている請求項１又は２記載のカード構造。
【請求項４】
第１、第２のカード部を重ねた時には両カード部の間に起立片部が挟み込まれ、第１、第２のカード部を開いた時には起立片部が起立するようにしたカード構造において、
上記第１、第２のカード部の間には上記起立片部が両カード部の対向する側縁に連続して形成され、該起立片部は中間の折り線によって折り曲げられるともに、上記第１、第２のカード部との境界で折り曲げられ、
上記第１、第２のカード部の裏面には折り畳み方向における全長が上記第１、第２のカード部及び起立片部の折り畳み方向における全長よりも短くかつ両者の中間の折り線によって折り曲げられる第３、第４のカード部が重ねられて接着されることにより、上記第１、第２のカード部の間には両カード部を開いた時に起立片部が立体的に起立し得るように設けられていることを特徴とするカード構造。
【請求項５】
上記第１、第２、第３、第４のカード部及び起立片部が一枚の原紙から打ち抜かれている請求項４記載のカード構造。
【請求項６】
上記起立片部は中間の折り曲げ線を基準として左右の部分が相互に対称な形状となっている請求項１ないし５のいずれかに記載のカード構造。
【請求項７】
上記起立片部は中間の折り曲げ線を基準として左右の部分が相互に異なる形状となっている請求項１ないし５のいずれかに記載のカード構造。
【請求項８】
２枚以上の紙片を相互に又は巻紙状に折り重ねてなる貼り合わせ封書又は貼り合わせ葉書において、
連続する２枚の紙片が上記第１、第２のカード部となっており、該２枚の紙片の間に上記起立片部が設けられている請求項１ないし７のいずれかに記載のカード構造。
【発明の詳細な説明】
【技術分野】
【０００１】
この発明は例えばダイレクトメール、商品カタログ、装飾用カード等のカード構造に関し、特に見る者の注意を喚起することのできるようにした構造に関する。以下では、便宜上、ダイレクトメールを例に説明する。
【背景技術】
【０００２】
例えば、各種のダイレクトメールには封書や葉書がよく利用されている。このダイレクトメールでは少なくとも２枚の紙片を例えば二つ又はＺ状に相互に折り重ね、あるいは巻き紙状に折り重ね、重ねられた２枚の紙片の周縁又は全面を擬似接着し、ダイレクトメールの受取人が貼り合わせた紙片を剥離して内部の印刷や印字の内容を見れるようにした構造が採用されている。
【０００３】
最近、宣伝広告の一手段としてダイレクトメールが注目され、一人の受取人に多数のダイレクトメールが届くことが多くなった。このような場合、貼り合わせた紙片を剥離しても内部の印刷や印字の内容をよく読まずに廃棄してしまうことが多く、受取人に内部の印刷又は印字内容を注意深く読んでもらえるように、受取人の注意を喚起する工夫が求められている。
【０００４】
これに対し、二つ折りした２枚の紙片に起立片と引張り片とを接着し、２枚の紙片を折り畳んだ時に２枚の紙片の間に起立片と引張り片とが挟み込まれ、２枚の紙片を開くと、起立片が起立するように構成し、ダイレクトメールの受取人の注意を引きつけるようにした封書構造が提案されている（特許文献１）。
【特許文献１】特開２００２−２７１６号公報
【発明の開示】
【発明が解決しようとする課題】
【０００５】
しかし、上記従来公報記載の封書構造では紙片とは別体に製作した起立片と引張り片とを２枚の紙片に接着するようにしているので、その接着は手作業で行わねばならず、コスト高になるという問題があった。
【０００６】
本発明はかかる問題点に鑑み、製作を自動化でき、見る者の注意を喚起することのできるようにしたカード構造を提供することを課題とする。
【課題を解決するための手段】
【０００７】
そこで、本発明に係るカード構造は、第１、第２のカード部を重ねた時には両カード部の間に起立片部が挟み込まれ、第１、第２のカード部を開いた時には起立片部が起立するようにしたカード構造において、上記第１、第２のカード部の間には上記起立片部が両カード部の対向する側縁に連続して形成され、該起立片部は中間の折り線によって折り曲げられるともに、上記第１、第２のカード部との境界でその境界近傍部分が上記第１、第２のカード部に重なるように折り曲げられ、相互に連続する上記第１のカード部の側部と起立片部の側部、及び相互に連続する第２のカード部の側部と起立片部の側部が相互に接着されるとともに、起立片部の両側部が相互に接着されることにより、上記第１、第２のカードの間には両カード部を開いた時に起立片部が立体的に起立し得るように設けられていることを特徴とする。
【０００８】
本発明の１つの特徴は第１、第２のカード部の間に起立片部を連続して形成し、第１、第２のカード部の間に起立片部が挟み込まれかつ第１、第２のカード部が連続するように折り重ねて接着するようにした点にある。
【０００９】
これにより、第１、第２のカード部の原紙から起立片部を同時にかつ連続して打ち抜くことができるので、折り曲げ及び接着作業を自動化することができ、従来の手作業によって製作する場合に比して製作コストを低減できる。即ち、第１、第２のカード部及び起立片部は一枚の原紙から打ち抜かれるのがよい。
【００１０】
第１、第２のカード部及び起立片部の側部は同一の幅に接着してもよいが、その場合には起立片部が平面的な状態になる。これに対し、カード部と起立片部の側部の接着の幅を起立片部の側部同士の接着の幅よりも大きくすると、起立片部を起立させたときに起立片部が立体的な状態にできる。即ち、相互に連続する第１のカード部の側部と起立片部の側部及び相互に連続する第２のカード部一側部と起立片部の側部は太幅の帯状に接着し、起立片部の両側部は小幅の帯状に接着するのが好ましい。
【００１１】
また、上記では第１、第２のカード部及び起立片部の側部を接着するとともに、起立片部の両側部を相互に接着することにより、第１、第２のカード部の間に起立片部を挟み込むようにしたが、第１、第２のカード部の裏面に両カード部及び起立片部よりも短い寸法の第３、第４のカード部を重ねて接着することにより、第１、第２のカード部の間に起立片部を挟み込むこともできる。
【００１２】
本発明に係るカード構造は、第１、第２のカード部を重ねた時には両カード部の間に起立片部が挟み込まれ、第１、第２のカード部を開いた時には起立片部が起立するようにしたカード構造において、上記第１、第２のカード部の間には上記起立片部が両カード部の対向する側縁に連続して形成され、該起立片部は中間の折り線によって折り曲げられるともに、上記第１、第２のカード部との境界で折り曲げられ、上記第１、第２のカード部の裏面には折り畳み方向における全長が上記第１、第２のカード部及び起立片部の折り畳み方向における全長よりも短くかつ両者の中間の折り線によって折り曲げられる第３、第４のカード部が重ねられて接着されることにより、上記第１、第２のカード部の間には両カード部を開いた時に起立片部が立体的に起立し得るように設けられていることを特徴とする。
【００１３】
このカード構造では第１、第２のカード部及び起立片部と第３、第４のカード部は別体に製作して重ねるようにしてもよいが、製造工程を考慮すると、一体的に製作して折り曲げて重ねるようにするのがよい。即ち、第１、第２、第３、第４のカード部及び起立片部は一枚の原紙から打ち抜かれるのがよい。
【００１４】
起立片部の形状は特に限定されず、例えばダイレクトメールに適用する場合には受取人の注意を喚起できる任意の形状とすることができる。例えば、起立片部は中間の折り曲げ線を基準として左右の部分が相互に対称な形状となっていてもよく、又中間の折り曲げ線を基準として左右の部分が相互に異なる形状とすることもできる。
【００１５】
本発明のカード構造は貼り合わせ封書、貼り合わせ葉書、商品カタログ、例えば書棚や机に飾っておく装飾用カード等に適用することができる。例えば、貼り合わせ封書又は貼り合わせ葉書に適用する場合、２枚以上の紙片を相互に又は巻紙状に折り重ねてなる貼り合わせ封書又は取り合わせ葉書において、連続する２枚の紙片を第１、第２のカード部とし、該２枚の紙片の間に起立片部を設けるようにすることができる。
【発明を実施するための最良の形態】
【００１６】
以下、本発明を図面に示す具体例に基づいて詳細に説明する。図１ないし図５は本発明に係るカード構造の好ましい実施形態を示し、これは貼り合わせ封書に適用した例である。図において、貼り合わせ封書１０は第１の紙片（第１のカード部）、第２の紙片（第２のカード部）及び第３の紙片１３を第２の紙片１２が封書の表になるように巻き紙状に折り重ねて構成されている。
【００１７】
第１、第２、第３の紙片１１、１２、１３の周縁には擬似接着しえる公知の接着剤（以下、擬似接着剤という）１５が帯状に塗布され、重なり合った第１、第２、第３の紙片１１、１２、１３が相互に擬似接着されることにより封書が製作されている。また、第３の紙片１３の下端隅部には切り欠き１３Ａが形成され、該切り欠き１３Ａを利用して第１、第２、第３の紙片１１、１２、１３を相互に剥離できるようになっている。
【００１８】
また、第１、第２の紙片１１、１２の間には起立片部２０が挟み込まれている。この起立片部２０は中間の折り曲げ線を基準として左右の両半部が例えば自動車を模した等しい形状をなし、起立片部２０は第１、第２の紙片１１、１２を開いた時に立体的に起立するようになっている。
【００１９】
本例の貼り合わせ封書を製作する場合、原紙を公知の打ち抜き機、例えばトムソン打ち抜き機に送り込み、図４及び図５に示される第１、第２、第３の紙片１１、１２、１３及び起立片部２０を連続させた形状の素形紙を打ち抜く。この時、起立片部２０は第１、第２の紙片１１、１２の間に両紙片１１、１２の対向する側縁に連続して一体に形成されることとなる。
【００２０】
また、同時に、あるいは打ち抜きの後工程において、第１の紙片１１と起立片部２０の間、起立片部２０と第２の紙片１２の間にミシン目２２、２３を入れて折り曲げ線とし、又第２と第３の紙片１２、１３の間に折り曲げ線１４を入れ、又起立片部２０の中間にも折り曲げ線を入れる。なお、ミシン目２２、２３に代えて通常の折り曲げ線を入れるようにしてもよい。
【００２１】
次に、第１、第２、第３の紙片１１、１２、１３の裏面周縁及び第１、第２の紙片１１、１２の表面のミシン目２２、２３の間に感熱又は感圧タイプの擬似接着剤１５を帯状に塗布する。
【００２２】
また、第１の紙片１１及び起立片部２０のミシン目２２、２３の間及びミシン目２３と起立片部２０の自動車の形状をした本体部分との間、起立片部２０の自動車の形状をした本体部分とミシン目２３との間及び第２の紙片１２及び起立片部２０のミシン目２２、２３の間の裏面に、完全接着し得る、つまり剥離不可能に接着し得る感熱又は感圧タイプの接着剤２１Ａ、２１Ｂを太い幅の帯状に塗布し、又第１、第２の紙片１１、１２のミシン目２３の表面に、完全接着し得る、つまり剥離不可能に接着し得る感熱又は感圧タイプの接着剤２４Ａ、２４Ｂを小幅の帯状に塗布する。
【００２３】
なお、擬似接着剤１５及び接着剤２１Ａ、２１Ｂ、２４Ａ、２４Ｂは予め原紙に塗布し、打ち抜きのマーキングを入れておいてマーキングを目印に上述の打ち抜きを行うようにしてもよい。
【００２４】
こうして得られた素形紙を折り曲げ機に送り込み、起立片部２０の中央で折り曲げるとともにミシン目２２、２３で折り曲げ、第１、第２の紙片１１、１２を重ね、又折り曲げ線１４で第３の紙片１３を第１の紙片１１上に折り曲げる。すると、接着剤２１Ａ、２１Ｂの塗布部分が重なり合うとともに、接着剤２４Ａ、２４Ｂの塗布部分が重なり合うので、加熱加圧ローラ又は加圧ローラを通過させると、接着剤２１Ａ、２１Ｂの塗布部分が相互に剥離不可能に接着されるとともに、接着剤２４Ａ、２４Ｂの塗布部分が相互に剥離不可能に接着されるので、相互に連続する第１の紙片１１の側部と起立片部２０の側部及び相互に連続する第２の紙片１２の一側部と起立片部２０の側部は太幅の帯状に接着され、起立片部２０の両側部は小幅の帯状に接着されることとなる。
【００２５】
また、第１、第２、第３の紙片１１、１２、１３の周縁の擬似接着剤１５が剥離可能に擬似接着され、最後に各封書毎に切断すると、図１に示される貼り合わせ封書が得られることとなる。
【００２６】
こうして得られた貼り合わせ封書１０は切り欠き１３Ａを利用して図２及び図３に示されるように展開することができ、展開すると、起立片部２０が立体的に立ち上がるので、貼り合わせ封書の受取人の注意を引きつけることができる。
【００２７】
図６は第２の実施形態を示す。本例では第１、第２の紙片１１、１２から構成され、又起立片部２０が中間の折り曲げ線を基準として左右の両半部で相互に異なる形状に形成され、さらに、第１、第２の紙片１１、１２の起立片部２０の下側部分にも印刷及び印字がなされている。このように起立片部２０を任意の形状にすることもでき、又起立片部２０の製作工程上、起立片部２０の下側の部分にも印刷・印字を施すことができる。
【００２８】
図７ないし図９は第３の実施形態を示し、図において図１ないし図５と同一符号は同一又は相当部分を示す。本例の貼り合わせ封書１０は第１の紙片（第１のカード部）１１、第２の紙片（第２のカード部）１２、第３の紙片（第３のカード部）１７及び第４の紙片（第４のカード部）１８及び起立片部２０から構成され、第１、第２の紙片１１、１２の裏面には第３、第４の紙片１７、１８が重ねられて接着、例えば剥離不可能に接着されている。
【００２９】
第１、第２の紙片１１、１２の周縁及び両紙片１１、１２の間に露出する第３、第４の紙片１７、１８の周縁には擬似接着しえる公知の接着剤（以下、擬似接着剤という）１５が帯状に塗布され、重なり合った第１の紙片１１と第２の紙片１２及び第３の紙片１７と第４の紙片１８が相互に擬似接着されることにより封書が製作されている。
【００３０】
また、起立片部２０は中間の折り曲げ線を基準として左右の両半部が例えば自動車を模した等しい形状をなし、第１、第２の紙片１１、１２を開いた時に立体的に起立するようになっている。
【００３１】
本例の貼り合わせ封書を製作する場合、原紙を公知の打ち抜き機、例えばトムソン打ち抜き機に送り込み、図８及び図９に示される第１、第２、第３、第４の紙片１１、１２、１７、１８及び起立片部２０を連続させた形状の素形紙を打ち抜く。この時、起立片部２０は第１、第２の紙片１１、１２の間に両紙片１１、１２の対向する側縁に連続して一体に形成されることとなる。
【００３２】
また、第３、第４の紙片１７、１８の折り畳み方向における全長Ｌ２は第１、第２の紙片１１、１２及び起立片部２０の折り畳み方向における全長Ｌ１よりも短い寸法に設定されている。
【００３３】
同時に、あるいは打ち抜きの後工程において、第１の紙片１１と起立片部２０の間、起立片部２０と第２の紙片１２の間、第２の紙片１２と第３の紙片１７の間、及び第３の紙片１７と第４の紙片１８との間に折り曲げ線１４を入れ、又起立片部２０の中間にも折り曲げ線を入れる。なお、折り曲げ線１４に代え、折り曲げ用のミシン目を入れるようにしてもよい。
【００３４】
次に、第１、第２の紙片１１、１２の裏面全面に感熱又は感圧タイプの接着剤を塗布し、第３、第４の紙片１７、１８の裏面には両紙片１７、１８の間に非塗布領域を残して第１、第２の紙片１１、１２と同じ面積に感熱又は感圧タイプの接着剤を塗布する。
【００３５】
また、第１、第２の紙片１１、１２の周縁には感熱又は感圧タイプの擬似接着剤１５を帯状に塗布し、又第３、第４の紙片１７、１８の非塗布領域の周縁には感熱又は感圧タイプの擬似接着剤１５を帯状に塗布する。
【００３６】
なお、擬似接着剤１５及び接着剤は予め原紙に塗布し、打ち抜きのマーキングを入れておいてマーキングを目印に上述の打ち抜きを行うようにしてもよい。
【００３７】
こうして得られた素形紙を折り曲げ機に送り込み、起立片部２０の中央で折り曲げるとともに、第１、第２の紙片１１、１２の裏面に第３、第４の紙片１７、１８を折り曲げて一致するように重ねる。すると、第１の紙片１１と第４の紙片１８、第２の紙片１２と第３の紙片１７の接着剤の塗布部分が重なり合うので、加熱加圧ローラ又は加圧ローラを通過させると、第１の紙片１１と第４の紙片１８、第２の紙片１２と第３の紙片１７が相互に剥離不可能に接着される。
【００３８】
このとき、第３、第４の紙片１７、１８の折り畳み方向における全長Ｌ２が第１、第２の紙片１１、１２及び起立片部２０の折り畳み方向における全長Ｌ１よりも短い寸法に設定されているので、起立片部２０は第１、第２の紙片１１、１２の間に両紙片１１、１２を開くことによって立体的に起立し得るようになる。
【００３９】
また、第１、第２の紙片１１、１２の周縁及び第３、第４の紙片１７、１８の露出部分の周縁には擬似接着剤１５が帯状に塗布されているので、第１、第４の紙片１１、１８と第２、第３の紙片１１、１７を折り重ね、加熱加圧ローラ又は加圧ローラを通過させると、擬似接着剤１５が剥離可能に擬似接着され、最後に各封書毎に切断すると、貼り合わせ封書が得られることとなる。
【００４０】
なお、上記の実施形態では２枚のカード部１１、１２を折り重ねるタイプの封書を例に説明したが、３枚以上のカード部を次々と折り畳みあるいは巻紙状に折り重ねるタイプの封書にも同様に適用できる。この場合、少なくとも起立片部を挟み込む２枚のカード部の裏面にカード部を接着すればよい。
【００４１】
また、上記の実施形態では第１、第２のカード部１１、１２の間に露出する第３、第４のカード部１７、１８の周縁に擬似接着剤１５を塗布するようにしたが、この第３、第４のカード部１７、１８の周縁には必ずしも擬似接着剤を塗布しなくともよい。また、第１、第２のカード部１１、１２の周縁に擬似接着剤１５を塗布するようにしたが、第１、第２のいずれか一方のカード部１１又は１２の周縁のみに擬似接着剤１５を塗布するようにしてもよい。
【図面の簡単な説明】
【００４２】
【図１】本発明に係るカード構造の好ましい実施形態の正面及び背面を示す図である。
【図２】上記実施形態における展開した状態を示す平面図である。
【図３】上記実施形態における展開した状態を示す概略斜視図である。
【図４】上記実施形態における素形紙を示す表面図である。
【図５】上記実施形態における素形紙を示す裏面図である。
【図６】第２の実施形態を示す図である。
【図７】第３の実施形態における展開した状態を示す概略斜視図である。
【図８】上記実施形態における素形紙を示す表面図である。
【図９】上記実施形態における素形紙を示す裏面図である。
【符号の説明】
【００４３】
１０      貼り合わせ封書
１１      第１の紙片（第１のカード部）
１２      第２の紙片（第２のカード部）
１３      第３の紙片
１４      折り曲げ線
１５      擬似接着剤
１７      第３の紙片（第３のカード部）
１８      第４の紙片（第４のカード部）
２０      起立片部
２１Ａ、２１Ｂ      接着剤
２２、２３      ミシン目
【図１】
2005145060.tif 000003
【図２】
2005145060.tif 000004
【図３】
2005145060.tif 000005
【図４】
2005145060.tif 000006
【図５】
2005145060.tif 000007
【図６】
2005145060.tif 000008
【図７】
2005145060.tif 000009
【図８】
2005145060.tif 000010
【図９】
2005145060.tif 000011